(57)【特許請求の範囲】
【請求項１】
頂壁、一対の側壁および底壁が順次連結され、両端が開口されており、頂面に突設されるフランジを有する複数の被収納物を内部に収納する筒状体と、
前記頂壁に配設され前記筒状体を持ち運ぶための持ち運び手段と、
前記頂壁にタブ折曲線を介して連結され、前記筒状体の内部に折曲されることにより前記開口に臨む前記被収納物の前記フランジに係合して、前記被収納物が前記開口から抜け落ちることを防止する保持タブとを有するカートンにおいて、
前記保持タブは前記タブ折曲線を基端として前記保持タブの先端縁に向かって分割されてなる複数のタブ片を有し、前記各タブ片は、前記筒状体の内部に折曲されて、前記各タブ片の先端部が前記フランジに係合し、
前記頂壁を第１頂壁とし、前記保持タブを第１保持タブとし、
前記第１頂壁に重なるように配置される第２頂壁を有し、
前記第２頂壁には、前記第１保持タブと重なるように配置され、前記第１保持タブと同一方向に前記筒状体の内部に折曲されることにより、前記開口に臨む前記被収納物の前記フランジに係合する第２保持タブが連結されており、
前記持ち運び手段によって前記筒状体が上方に持ち上げられることにより、前記第１頂壁および第２頂壁が凸状に変形し、前記一対の側壁が相互に近接する方向に引っ張られるのに追従して、前記各タブ片は、前記各タブ片の一部が相互に重なるように移動することを特徴とするカートン。
【請求項２】
前記保持タブは、前記タブ折曲線の中央部から２分割されていることを特徴とする請求項１に記載のカートン。
【請求項３】
前記保持タブは、前記頂壁の一端縁から突出するように前記タブ折曲線を介して前記頂壁に連結されており、
前記各タブ片は、前記頂壁の一端縁に沿って並列して配置されていることを特徴とする請求項１または請求項２に記載のカートン。
【請求項４】
前記頂壁は、前記頂壁、前記両側壁および前記底壁の連結方向に所定の間隙をもって並列配置される一対の頂板からなり、
前記持ち運び手段は、前記頂壁から上方に突出して配置される取っ手部からなり、
前記取っ手部を構成する取っ手パネルが、前記両頂板の間隙に配置されて前記両頂板にそれぞれ折曲可能に連結されるとともに、前記両頂板の並列方向に直交する方向に折曲可能とされており、
前記両頂板が隣位するように、前記取っ手パネルを折曲することにより、前記取っ手部を形成することを特徴とする請求項１から請求項３の何れか１項に記載のカートン。
【請求項５】
前記持ち運び手段は、前記頂壁に形成された指挿入孔からなることを特徴とする請求項１から請求項３の何れか１項に記載のカートン。
【請求項６】
前記各タブ片が一つの同じ前記被収納物の前記フランジに係合していることを特徴とする請求項１に記載のカートン。
【発明の詳細な説明】
【技術分野】
【０００１】
本発明は、両端が開口された筒状体の内部に収納される被収納物が、前記開口から抜け落ちることを防止する保持タブを有し、被収納物の持ち運びに好適なカートンに関する。
【背景技術】
【０００２】
従来より、複数の缶等の被収納物をまとめて収納するカートンが、複数の物品の保管・運搬の容易性等の観点から多用されている。
【０００３】
従来のカートンは、例えば、特許文献１乃至特許文献４に示すように、頂壁と、この頂壁の両側片にそれぞれ折曲自在に連設されて対向して配置される一対の側壁と、各側壁の下側縁にそれぞれ折曲自在に連設された底壁とを備え、両端が開口とされた筒状体を有しており、この筒状体の内部に被収納物が収納されているようになっている。
【０００４】
また、前述の各特許文献に記載された従来のカートンは、筒状体の内部に収納された被収納物が開口を介して筒状体から抜け落ちてしまうことを防止するため、頂壁や底壁に保持タブが連結されている。この保持タブは、半円形状に形成され、筒状体の開口に臨む被収納物に対応して、頂壁や底壁の外側に突出するように頂壁および底壁の一端縁にタブ折曲線を介して連結されている。そして、この保持タブは、筒状体の内部に折曲されることにより、筒状体の開口に臨む被収納物の頂面や底面に突設されたフランジに係合するようになっており、これにより、被収納物が筒状体から抜け落ちることを防止するようになっている。
【０００５】
さらに、従来のカートンの頂壁には、被収納物が収納されたカートンを容易に持ち運ぶための持ち運び手段として、例えば特許文献５に示すような頂壁から上方に突出して配置される取っ手や、さらには、例えば特許文献２および特許文献３に示すような指挿入孔等が配設されている。そして、従来のカートンは、取っ手を把持し、または指挿入孔に指を挿入して、カートンを上方へ持ち上げながら持ち運びするようになっていた。
【先行技術文献】
【特許文献】
【０００６】
【特許文献１】国際公開第２００５／０４４５４９号パンフレット
【特許文献２】米国特許第２，６８４，７５９号明細書
【特許文献３】米国特許第２，６６３，４１３号明細書
【特許文献４】米国特許第２，５７１，８３３号明細書
【特許文献５】米国特許第２，９６３，１９８号明細書
【発明の概要】
【発明が解決しようとする課題】
【０００７】
しかし、前述のような頂壁に持ち運び手段が配設されたカートンにおいて、頂壁の一端縁に前述のような保持タブが連結されている場合、持ち運び手段によってカートンが上方へ持ち上げられた際に、頂壁が湾曲するようにして上方に持ち上がってしまうこととなる。この結果、被収納物の頂面に対する保持タブの係合が解除されてしまい、被収納物がカートンの開口から抜け落ちてしまうおそれがあるという問題を有していた。
【０００８】
本発明はこれらの点に鑑みてなされたものであり、被収納物がカートンの開口から抜け落ちてしまうことを確実に防止することが可能なカートンを提供することを目的とする。
【課題を解決するための手段】
【０００９】
前記目的を達成するため、本発明に係るカートンの特徴は、頂壁、一対の側壁および底壁が順次連結され、両端が開口されており、頂面に突設されるフランジを有する複数の被収納物を内部に収納する筒状体と、前記頂壁に配設され前記筒状体を持ち運ぶための持ち運び手段と、前記頂壁にタブ折曲線を介して連結され、前記筒状体の内部に折曲されることにより前記開口に臨む前記被収納物の前記フランジに係合して、前記被収納物が前記開口から抜け落ちることを防止する保持タブとを有するカートンにおいて、前記保持タブは前記タブ折曲線を基端として前記保持タブの先端縁に向かって分割されてなる複数のタブ片を有し、前記各タブ片は、前記筒状体の内部に折曲されて、前記各タブ片の先端部が前記フランジに係合し、前記持ち運び手段によって前記筒状体が上方に持ち上げられることにより、前記頂壁が凸状に変形し、前記一対の側壁が相互に近接する方向に引っ張られるのに追従して、前記各タブ片は、前記各タブ片の一部が相互に重なるように移動する点にある。
【００１０】
本発明に係るカートンによれば、両タブ片の先端部分は、被収納物の頂面におけるフランジの内周面に係合するようになっており、さらに、持ち運び手段によってカートンが持ち上げられることにより、頂壁が凸状に変形するとともに両側壁が相互に近接する方向に移動するので、各タブ片は、頂壁とともに上方に引っ張られて相互に近接するようにほぼ水平方向に移動し、各タブ片の外端同士の距離が縮まることとなる。このように、各タブ片が相互に近接するようにほぼ水平方向に移動することにより、保持タブは、この筒状体の変形に対応しながら、各タブの先端部分が上方に移動することなく元の高さ位置にとどまることができるので、被収納物の頂面におけるフランジに係合し続けることができる。これにより、本発明に係るカートンは、被収納物がカートンの開口から抜け落ちてしまうことを確実に防止することができる。また、保持タブは、各タブ片の外端同士の距離が縮まり各タブ片の一部が相互に重なるように移動することによって、被収納物の頂面におけるフランジに係合し続けることができるので、本発明に係るカートンは、被収納物がカートンの開口から抜け落ちてしまうことを、より確実に防止することができる。
【００１１】
また、前記目的を達成するため、本発明に係るカートンの他の特徴は、前記頂壁を第１頂壁とし、前記保持タブを第１保持タブとし、前記第１頂壁に重なるように配置される第２頂壁を有し、前記第２頂壁には、前記第１保持タブと重なるように配置され、前記第１保持タブと同一方向に前記筒状体の内部に折曲されることにより、前記開口に臨む前記被収納物の前記フランジに係合する第２保持タブが連結されている。これにより、カートンは、頂壁が２重になるので、頂壁の強度を向上させることができるとともに、第１保持タブと第２保持タブの２重の保持タブが被収納物のフランジに係合することとなり、フランジに対する保持タブの２重の係合の強度を向上させることができ、被収納物がカートンの開口から抜け落ちてしまうことをより確実に防止することができる。
【００１２】
また、前記本発明において、前記保持タブは、前記タブ折曲線の中央部から２分割されているとよい。これにより、カートンは、２つのタブ片から構成される保持タブの強度を維持しながら、被収納物がカートンの開口から抜け落ちてしまうことを確実に防止することができる。
【００１３】
さらに、前記本発明において、前記保持タブは、前記頂壁の一端縁から突出するように前記タブ折曲線を介して前記頂壁に連結されており、前記各タブ片は、前記頂壁の一端縁に沿って並列して配置されているとよい。これにより、カートンは、カートンが持ち上げられた際に、両タブ片の先端部分が相互に重なるように両タブ片を円滑に移動させることができる。これにより、カートンは、保持タブの被収納物のフランジに対する係合が解除されることを確実に防止して、被収納物がカートンの開口から抜け落ちてしまうことを確実に防止することができる。
【００１４】
さらにまた、前記本発明において、前記頂壁は、前記頂壁、前記両側壁および前記底壁の連結方向に所定の間隙をもって並列配置される一対の頂板からなり、前記持ち運び手段は、前記頂壁から上方に突出して配置される取っ手部からなり、前記取っ手部を構成する取っ手パネルが、前記両頂板の間隙に配置されて前記両頂板にそれぞれ折曲可能に連結されるとともに、前記両頂板の並列方向に直交する方向に折曲可能とされており、前記両頂板が隣位するように、前記取っ手パネルを折曲することにより、前記取っ手部を形成するとよい。これにより、カートンは、持ち運び手段としての取っ手部を簡易に形成することができるとともに、このような取っ手部を把持することによりカートンが持ち上げられた場合であっても、保持タブの被収納物のフランジに対する係合が解除されることを防止し、被収納物がカートンの開口から抜け落ちてしまうことを確実に防止することができる。
【００１５】
また、前記本発明において、前記持ち運び手段を、前記頂壁に形成された指挿入孔としてもよい。これにより、カートンは、持ち運び手段としての指挿入孔を簡易かつ余分なパネルを用いることなく形成することができるとともに、このような指挿入孔に指を挿入することによりカートンが持ち上げられた場合であっても、保持タブの被収納物のフランジに対する係合が解除されることを防止し、被収納物がカートンの開口から抜け落ちてしまうことを確実に防止することができる。
【００１８】
さらに、前記各タブ片が一つの同じ前記被収納物の前記フランジに係合していることが好ましい。このように構成することにより、各タブ片が前記被収納物のフランジに確実に係合し、被収納物がカートンの開口から抜け落ちてしまうことを確実に防止することができる。
【発明の効果】
【００１９】
以上述べたように、本発明に係るカートンによれば、持ち運び手段を把持することによりカートンが持ち上げられても、保持タブの被収納物のフランジに対する係合が解除されることなく、被収納物がカートンの開口から抜け落ちてしまうことを確実に防止することができる。また、カートンは、頂壁が２重になるので、頂壁の強度を向上させることができるとともに、第１保持タブと第２保持タブの２重の保持タブが被収納物のフランジに係合することとなり、フランジに対する保持タブの２重の係合の強度を向上させることができ、被収納物がカートンの開口から抜け落ちてしまうことをより確実に防止することができる。
【図面の簡単な説明】
【００２０】
【図１】本発明に係るカートンの一実施形態を示す斜視図
【図２】図１に示すカートンの矢印Ａ−Ａにおける断面側面図
【図３】図１に示すカートンを構成するカートンブランクを示す平面図
【図４】図１に示すカートンの持ち運び手段を把持して持ち上げられた際の保持タブの状態を示す要部拡大図
【図５】本発明に係るカートンの他の実施形態を構成するカートンブランクを示す平面図
【図６】図５に示すカートンブランクにより構成されたカートンの断面側面図
【図７】本発明に係るカートンのさらに他の実施形態を示す斜視図
【図８】図７に示すカートンを構成するカートンブランクを示す平面図
【発明を実施するための形態】
【００２１】
以下、本発明に係るカートンの実施形態を図１から図８を参照して説明する。
【００２２】
ここで、下記の実施形態においては、被収納物として、円形状の頂面と円形状の底面と前記頂面および前記底面に連設された側面とによって全体形状がほぼ円筒形状となるように形成される缶を用いて説明する。この缶は、前記頂面の周縁部に上方に突出するフランジが形成されることにより前記頂面に凹部が形成されており、また、底面には、缶の内部方向に凹入するドーム形状の凹部が形成され凹部の周縁部がフランジとされている。また、カートンとして、２本の缶を収納することが可能なカートンについて説明する。
【００２３】
まず、本発明に係るカートンの第１の実施形態について、図１から図４を参照して説明する。
【００２４】
図１は、本実施形態に係るカートンを示す斜視図、図２は、図１に示すカートンの矢印Ａ−Ａ線における断面側面図である。
【００２５】
図１および図２に示すように、本実施形態に係るカートン１は、頂壁としての第１頂壁２、対向して配置される一対の側壁３Ａ、３Ｂ（３）、および底壁５が順次連結され、両端が開口６Ａされた筒状体６を有しており、また、持ち運び手段として、第１頂壁２から上方に突出して配置される取っ手部７を有している。
【００２６】
図３は、図１および図２に示すカートン１を構成するカートンブランク２２を示す平面図であり、図３に示すように、本実施形態におけるカートン１の第１頂壁２は、各壁２、３、５の連結方向に所定の間隙をもって並列して配置される一対の頂板２ａ、２ｂにより構成されており、さらに、カートン１は、この第１頂壁２の他に、第２頂壁８を有している。
【００２７】
両頂板２ａ、２ｂの間隙には、取っ手部７を構成する取っ手パネル９が配置されている。取っ手パネル９の一側縁は、一方の頂板２ａの一側縁に折曲線１０を介して折曲可能に連結され、取っ手パネル９の他側縁は、他方の頂板２ｂの一側縁に折曲線１１を介して折曲可能に連結されている。また、取っ手パネル９における両頂板２ａ、２ｂの並列方向の中央部には、前記両頂板２ａ、２ｂの並列方向に直交する方向に伸びる折曲線１２が形成されている。そして、取っ手パネル９は、両頂板２ａ、２ｂが隣位するように、両折曲線１０、１１が谷折りに折曲されるとともに折曲線２１が山折りに折曲されることにより、取っ手部７を構成するようになっている。
【００２８】
他方の頂板２ｂの他側縁は、折曲線１３を介して第１上部傾斜壁１４Ａの一側縁に連設され、第１上部傾斜壁１４Ａの他側縁は、折曲線１５を介して一方の側壁３Ａの一側縁に連設され、一方の側壁３Ａの他側縁は、折曲線１６を介して第１下部傾斜壁１４Ｂの一側縁に連設され、第１下部傾斜壁１４Ｂの他側縁は、折曲線１７を介して底壁５の一側縁に連設されている。また、底壁５の他側縁は、折曲線１８を介して第２下部傾斜壁１４Ｃの一側縁に連設され、第２下部傾斜壁１４Ｃの他側縁は、折曲線１９を介して他方の側壁３Ｂの一側縁に連設され、他方の側壁３Ｂの他側縁は、折曲線２０を介して第２上部傾斜壁１４Ｄの一側縁に連設され、第２上部傾斜壁１４Ｄの他側縁は、折曲線２１を介して第２頂壁８の一側縁に連設されている。
【００２９】
このカートン１によれば、カートンブランク２２を組み立てる際に各折曲線１０、１１、１３、１５、１６、１７、１８、１９、２０、２１を折曲するとともに、第２頂壁８の表面と一対の頂板２ａ、２ｂによって構成される第１頂壁２の裏面とを当接するように重ねて配置し、第１頂壁２、第２頂壁８を相互に接続することにより、第１頂壁２、第２頂壁８、両側壁３Ａ、３Ｂ、および底壁５が、それぞれ上部傾斜壁１４Ａ、１４Ｄおよび下部傾斜壁１４Ｂ、１４Ｃを介して順次連設されて、両端に開口６Ａが形成された筒状体６が構成されるようになっている。
【００３０】
第１頂壁２の両端縁には、筒状体６の内部に折曲されることにより開口６Ａに臨む被収納物Ｃの外周に形成されたフランジＦに係合して、被収納物Ｃが開口６Ａから抜け落ちることを防止する保持タブ２３としての第１保持タブ２３がそれぞれタブ折曲線２５を介して連結されている。各第１保持タブ２３は、半円形状に形成され、それぞれ第１頂壁２の両端縁から第１頂壁２の外側に突出するように配置されている。また、各保持タブ２３は、タブ折曲線２５を基端として保持タブ２３の先端縁に向かって分割されてなる複数のタブ片２６を有しており、好ましくは、本実施形態に示すように、各保持タブ２３はタブ折曲線２５の中央部から２分割されて、一対のタブ片２６ａ、２６ｂ（２６）を有している。両タブ片２６は、第１頂壁２の一端縁に沿って並列して配置されている。両タブ片２６のうち一方のタブ片２６ａは、一方の頂板２ａの端縁にタブ折曲線２５を介して連結されており、他方のタブ片２６ｂは、他方の頂板２ｂの端縁にタブ折曲線２５を介して連結されている。そして、両タブ片２６は、それぞれ筒状体６の内部に折曲され、両タブ片２６の先端部が、被収納物ＣにおけるフランジＦの内周面に当接してフランジＦに係合するようになっている。このように、本実施形態においては、両タブ片２６は、一つの同じ被収納物ＣのフランジＦに係合している。
【００３１】
また、両タブ片２６は、カートン１が組み立てられた状態において、図１に示すように、その一部（本実施形態においては先端部分）があらかじめ相互に重なって配置されていることが好ましい。
【００３２】
第２頂壁８の両端縁には、第２頂壁８の外側に突出するように配置された半円形状の第２保持タブ２７が、折曲線２８を介して連設されており、カートン１を組み立てた状態で第２保持タブ２７は、第１保持タブ２３と重なるように配置されることとなる。そして、第２保持タブ２７は、第１保持タブ２３と同一方向に筒状体６の内部に折曲されることにより、第１保持タブ２３とともに開口６Ａに臨む被収納物ＣのフランジＦに係合されるようになっている。
【００３３】
底壁５の両端縁には、底壁５の外側に突出するように配置された半円形状の下部保持タブ２９が、第１折曲線３０を介して連設されている。また、底壁５の両端部分には、第１折曲線３０に並列して第１折曲線３０よりも短い寸法とされた第２折曲線３１が形成されており、底壁５には、各第２折曲線３１の両端部を基端として第１折曲線３０の方向に突出し、先端が下部保持タブ２９における底壁５との連設部分に到達する円弧状の切れ込み線によって形成される補助タブ３２が、下部保持タブ２９の内側に配設されている。そして、各下部保持タブ２９および各補助タブ３２は、それぞれ第１折曲線３０、第２折曲線３１を介して別々に折曲することができるようになっている。
【００３４】
他方の側壁３Ｂには、該側壁３Ｂの一端部分から他端部分に向かって伸びる一対の断続切断線３３が形成されており、該側壁３Ｂにおける両断続切断線３３の間に位置する部分は、切取パネル３５とされている。この切取パネル３５の途中部分には、両断続切断線３３のうち一方の断続切断線３３から他方の断続切断線３３に向かって伸びる切離線３６が形成されており、切取パネル３５は、この切離線３６を基端としてそれぞれ側壁３Ｂの端部方向に引っ張られることにより、側壁３Ｂから切り取られるようになっている。
【００３５】
続いて、本実施形態の作用について説明する。
【００３６】
本実施形態に係るカートン１によれば、図１に示すように、両タブ片２６の先端部分は、被収納物Ｃの頂面に突設されたフランジＦの内周面に当接してフランジＦに係合するようになっている。さらに、図４に示すように、取っ手部７を把持してカートン１が持ち上げられることにより、第１頂壁２が凸状に変形するとともに両側壁３Ａ、３Ｂが相互に近接する方向に移動するので、両タブ片２６は、第１頂壁２とともに上方に引っ張られて相互に近接するようにほぼ水平方向に移動して、両タブ片２６の外端同士の距離が縮まることとなる。このように、両タブ片２６が相互に近接するようにほぼ水平方向に移動することにより、第１保持タブ２３は、第１頂壁２の変形に対応し、両タブ片２６の先端部分が上方に移動することなく元の高さ位置にとどまることができるので、被収納物ＣのフランジＦに係合し続けることができる。
【００３７】
したがって、カートン１は、持ち運び手段としての取っ手部７を把持することによりカートン１が持ち上げられて第１頂壁２および第２頂壁８が湾曲しても、保持タブ２３の被収納物ＣのフランジＦに対する係合が解除されることなく、被収納物Ｃがカートン１の開口６Ａから抜け落ちてしまうことを確実に防止することができる。
【００３８】
また、本実施形態に係るカートン１においては、取っ手部７によって筒状体６が上方に持ち上げられることにより第１頂壁２が凸状に変形し、両側壁３Ａ、３Ｂが相互に近接する方向に引っ張られるので、両タブ片２６が、各タブ片２６の一部が相互に重なるように移動することとなる。これにより、本実施形態に係るカートン１によれば、第１保持タブ２３は、両タブ片２６の外端同士の距離が縮まり、両タブ片２６の一部が相互に重なるように移動することにより、被収納物Ｃの頂面におけるフランジＦに係合し続けることができるので、被収納物Ｃがカートン１の開口６Ａから抜け落ちてしまうことを、より確実に防止することができる。さらに、本実施形態によれば、第１頂壁２が上方に引っ張られるほど、両タブ片２６が、相互に重なり合う面積が増える方向に移動して、第１保持タブ２３の先端縁が、被収納物ＣのフランジＦとの係合位置にとどまることとなり、被収納物Ｃがカートン１の開口６Ａから抜け落ちてしまうことを確実に防止することができる。
【００３９】
また、保持タブ２３を、タブ折曲線２５の中央部を基端として２分割することにより、２つのタブ片２６ａ、２６ｂから構成される保持タブ２３の強度を維持しながら、被収納物Ｃがカートン１の開口６Ａから抜け落ちてしまうことを確実に防止することができる。
【００４０】
さらに、保持タブ２３を、第１頂壁２の一端縁から突出するようにタブ折曲線２５を介して第１頂壁２に連結し、両タブ片２６を、第１頂壁２の一端縁に沿って並列して配置することにより、カートン１が持ち上げられた際に、両タブ片２６の先端部分が相互に重なるように両タブ片２６を円滑に移動させることができる。これにより、カートン１は、保持タブ２３の被収納物ＣのフランジＦに対する係合が解除されることを確実に防止して、被収納物Ｃがカートン１の開口６Ａから抜け落ちてしまうことを確実に防止することができる。
【００４１】
さらにまた、本実施形態においては、第１頂壁２が、各壁の連結方向に所定の間隙をもって並列配置される一対の頂板２ａ、２ｂにより構成され、持ち運び手段としての取っ手部７を構成する取っ手パネル９は、両頂板２ａ、２ｂの間隙に配置されて両頂板２ａ、２ｂにそれぞれ折曲可能に連結されているとともに、両頂板２ａ、２ｂの並列方向に直交する折曲線によって折曲可能とされている。そして、カートン１は、両頂板２ａ、２ｂが隣位するように、取っ手パネル９を折曲することにより、取っ手部７が形成されるようになっている。これにより、本実施形態に係るカートン１によれば、取っ手部７を簡易に形成することができるとともに、このような取っ手部７を把持してカートン１が持ち上げられた場合であっても、保持タブ２３の被収納物ＣのフランジＦに対する係合が解除されることを防止し、被収納物Ｃがカートン１の開口６Ａから抜け落ちてしまうことを確実に防止することができる。
【００４２】
また、本実施形態においては、第１頂壁２に重なるように配置される第２頂壁８を有し、第２頂壁８には、第１保持タブ２３と重なるように配置され、第１保持タブ２３と同一方向に筒状体６の内部に折曲されることにより開口６Ａに臨む被収納物ＣのフランジＦに係合する第２保持タブ２７が連結されている。本実施形態に係るカートン１によれば、第１頂壁２および第２頂壁８によって頂壁部分に２重のパネルが配置されるので、カートン１における頂壁部分の強度を向上させることができるとともに、第１保持タブ２３と第２保持タブ２７が被収納物ＣのフランジＦに２重に係合することとなるので、第１保持タブ２３および第２保持タブ２７とフランジＦとの係合の強度を向上させることができ、これにより、被収納物Ｃがカートン１の開口６Ａから抜け落ちてしまうことをより確実に防止することができる。なお、本実施形態において、第２保持タブ２７は、半円形状の１つのタブにより構成されているが、これに限定されず、例えば第１保持タブ２３と同様に、タブ折曲線２５を基端部として第２保持タブ２７の先端縁に向かって分割されることにより、複数のタブ片２６により構成されていてもよい。
【００４３】
さらに、本実施形態において、両タブ片２６を、カートン１が組み立てられた状態で、その一部があらかじめ相互に重なるように配置することにより、筒状体６が取っ手部７によって上方に持ち上げられた際に、第１頂壁２が凸状に変形し、両側壁３Ａ、３Ｂが相互に近接する方向に引っ張られるのに追従して、両タブ片２６を、より円滑に両タブ片２６の一部が相互に重なる部位が増すようにほぼ水平に移動させることができる。これにより、カートン１は、開口６Ａに臨む被収納物ＣのフランジＦに対する両タブ片２６の係合をより確実にすることができる。
【００４４】
続いて、本発明に係るカートン１の第２の実施形態を図５および図６を参照して説明する。なお、第２の実施形態において、第１の実施形態と同一の構成については、詳説を省略し、同一の符号を用いて説明する。
【００４５】
図５は、本実施形態に係るカートン１を構成するカートンブランク２２を示す平面図、図６は、図５に示すカートンブランク２２により構成されたカートン１を示す断面側面図である。
【００４６】
図５および図６に示すように、本実施形態に係るカートン１は、頂壁２、対向して配置される一対の側壁３Ａ、３Ｂ、および底壁５が順次連結されて、両端に開口６Ａが形成された筒状体６を有しており、また、持ち運び手段として、頂壁２から上方に突出して配置される取っ手部７を有している。
【００４７】
また、本実施形態におけるカートン１の頂壁２は、各壁の連結方向に所定の間隙をもって並列して配置される一対の頂板２ａ、２ｂにより構成されており、両頂板２ａ、２ｂの間隙には、取っ手部７を構成する取っ手パネル９が配置されている。そして、取っ手パネル９は、両頂板２ａ、２ｂが隣位するように両折曲線１０、１１が谷折りに折曲されるとともに折曲線１２が山折りに折曲されることにより、取っ手部７を構成するようになっている。
【００４８】
さらに、本実施形態におけるカートン１は、頂壁２に接続される頂壁片３７を有しており、この頂壁片３７の一側縁は、第２上部傾斜壁の他端縁に折曲線２１を介して連設されている。
【００４９】
このカートン１によれば、カートン１を組み立てる際に、各折曲線１０、１１、１３、１５、１６、１７、１８、１９、２０、２１を折曲するとともに、頂壁片３７の表面を一対の頂板２ａ、２ｂによって構成される頂壁２の裏面の一部と当接するように重ねて配置し、頂壁片３７を頂壁２に接続することにより、頂壁２、両側壁３Ａ、３Ｂ、底壁５、および頂壁片３７が、それぞれ上部傾斜壁１４Ａ、１４Ｄおよび下部傾斜壁１４Ｂ、１４Ｃを介して順次連設されて、両端に開口６Ａが形成された筒状体６が構成されるようになっている。
【００５０】
続いて、本実施形態の作用について説明する。
【００５１】
本実施形態に係るカートン１によれば、図６に示すように、両タブ片２６の先端部分は、被収納物Ｃの頂面におけるフランジＦの内周面に当接してフランジＦに係合するようになっており、さらに、取っ手部７を把持してカートン１が持ち上げられることにより、頂壁が凸状に変形するとともに両側壁３Ａ、３Ｂが相互に近接する方向に移動するので、両タブ片２６は、頂壁２とともに上方に引っ張られて相互に近接するようにほぼ水平方向に移動し、両タブ片２６の外端同士の距離が縮まることとなる。このように、両タブ片２６が相互に近接するようにほぼ水平方向に移動することにより、保持タブ２３は、頂壁２の変形に対応し、両タブ片２６の先端部分が上方に移動することなく元の高さ位置にとどまることができるので、被収納物ＣのフランジＦに係合し続けることができる。
【００５２】
したがって、カートン１は、このカートン１が持ち上げられても、保持タブ２３の被収納物ＣのフランジＦに対する係合が解除されることなく、被収納物Ｃがカートン１の開口６Ａから抜け落ちてしまうことを確実に防止することができる。
【００５３】
また、第１の実施形態と同様に、取っ手部７によって筒状体６が上方に持ち上げられることにより頂壁２が凸状に変形し、両側壁３Ａ、３Ｂが相互に近接する方向に引っ張られると、両タブ片２６が、各タブ片２６の一部が相互に重なるように移動することとなる。これにより、本実施形態に係るカートン１によれば、保持タブ２３は、両タブ片２６の外端同士の距離が縮まり、両タブ片２６の一部が相互に重なるように移動することによって、被収納物Ｃの頂面におけるフランジＦに係合し続けることができるので、被収納物Ｃがカートン１の開口６Ａから抜け落ちてしまうことを、より確実に防止することができる。さらに、本実施形態によれば、頂壁２が上方に引っ張られるほど、両タブ片２６が、相互に重なり合う面積が増える方向に移動して、保持タブ２３の先端縁が、被収納物ＣのフランジＦとの係合位置にとどまることとなり、被収納物Ｃがカートン１の開口６Ａから抜け落ちてしまうことを確実に防止することができる。
【００５４】
さらに、第１の実施形態と同様に、保持タブ２３をタブ折曲線２５の中央部を基端として２分割することにより、２つのタブ片２６から構成される保持タブ２３の強度を保持しながら、カートン１が持ち上げられた際に両タブ片２６の先端部分が相互に重なるように円滑にほぼ水平方向に移動される。これにより、カートン１は、被収納物Ｃがカートン１の開口６Ａから抜け落ちてしまうことを確実に防止することができる。
【００５５】
さらにまた、第１の実施形態と同様に、保持タブ２３を、頂壁２の一端縁から突出するようにタブ折曲線２５を介して頂壁２に連結し、両タブ片２６を、頂壁２の一端縁に沿って並列して配置することにより、カートン１が持ち上げられた際に、両タブ片２６の先端部分が相互に重なるように円滑にほぼ水平方向に移動される。これにより、カートン１は、保持タブ２３の被収納物ＣのフランジＦに対する係合が解除されることを確実に防止して、被収納物Ｃがカートン１の開口６Ａから抜け落ちてしまうことを確実に防止することができる。
【００５６】
また、本実施形態においては、第１の実施形態と同様に、頂壁２が、各壁２、３、５の連結方向に所定の間隙をもって並列配置される一対の頂板２ａ、２ｂにより構成され、持ち運び手段としての取っ手部７を構成する取っ手パネル９は、両頂板２ａ、２ｂの間隙に配置されて両頂板２ａ、２ｂにそれぞれ折曲可能に連結されているとともに、両頂板２ａ、２ｂの並列方向に直交する折曲線１２によって折曲可能とされている。そして、カートン１は、両頂板２ａ、２ｂが隣位するように、取っ手パネル９を折曲することにより、取っ手部７が形成されるようになっている。これにより、本実施形態に係るカートン１によれば、取っ手部７を簡易に形成することができるとともに、このような取っ手部７を把持してカートン１が持ち上げられた場合であっても、保持タブ２３の被収納物ＣのフランジＦに対する係合が解除されることを防止し、被収納物Ｃがカートン１の開口６Ａから抜け落ちてしまうことを確実に防止することができる。
【００５７】
さらに、本実施形態において、両タブ片２６を、カートン１が組み立てられた状態で、その一部があらかじめ相互に重なるように配置することにより、筒状体６が取っ手部７によって上方に持ち上げられた際に、第１頂壁２が凸状に変形し、両側壁３Ａ、３Ｂが相互に近接する方向に引っ張られるのに追従して、両タブ片２６を、より円滑に両タブ片２６の一部が相互に重なる部位が増すようにほぼ水平方向に移動させることができる。これにより、カートン１は、開口６Ａに臨む被収納物ＣのフランジＦに対する両タブ片２６の係合をより確実にすることができる。
【００５８】
次に、本発明に係るカートン１の第３の実施形態を図７および図８を参照して説明する。なお、第３の実施形態において、第１の実施形態と同一の構成については、詳説を省略し、同一の符号を用いて説明する。
【００５９】
図７は、本実施形態に係るカートン１を示す斜視図であり、図８は、図７に示すカートン１を構成するカートンブランク２２を示す平面図である。
【００６０】
図７および図８に示すように、本実施形態に係るカートン１は、頂壁としての第１頂壁２、対向して配置される一対の側壁３Ａ、３Ｂ、および底壁５が順次連結されており、両端が開口６Ａされた筒状体６を有している。
【００６１】
本実施形態におけるカートン１は、第１頂壁２が１つのパネルによって構成されており、第１頂壁２の一側縁は、折曲線１３を介して第１上部傾斜壁１４Ａの一側縁に連設されている。また、カートン１は、第１頂壁２の他に第１頂壁に接続される第２頂壁片８を有しており、この第２頂壁片８の一側縁は、第２上部傾斜壁の他端縁に折曲線２１を介して連設されている。
【００６２】
このカートン１によれば、カートン１を組み立てる際に、各折曲線１０、１１、１３，１５，１６，１７，１８，１９、２０、２１を折曲するとともに、第２頂壁８を第１頂壁２の裏面と当接するように重ねて配置し、第２頂壁８を第１頂壁２に接続することにより、第１頂壁２、両側壁３Ａ、３Ｂ、底壁５、および第２頂壁８が、それぞれ上部傾斜壁１４Ａ、１４Ｄおよび下部傾斜壁１４Ｂ、１４Ｃを介して順次連設されて、両端に開口６Ａが形成された筒状体６が構成されるようになっている。
【００６３】
第１頂壁２の両端縁には、筒状体６の内部に折曲されることにより、開口６Ａに臨む被収納物ＣのフランジＦに係合して、被収納物Ｃが開口６Ａから抜け落ちることを防止する保持タブ２３がそれぞれタブ折曲線２５を介して連結されている。各保持タブ２３は、半円形状に形成され、それぞれ第１頂壁２の両端縁から第１頂壁２の外側に突出するように配置されており、タブ折曲線２５の中央部を基端として２分割されてなる一対のタブ片２６を有している。
【００６４】
第２頂壁８の両端縁には、第２頂壁８の外側に突出するように配置された半円形状の第２保持タブ２７が、折曲線２８を介して連設されており、カートン１を組み立てた状態で第２保持タブ２７は、第１保持タブ２３と重なるように配置されることとなる。そして、第２保持タブ２７は、第１保持タブ２３と同一方向に筒状体６の内部に折曲されることにより、第１保持タブ２３とともに開口６Ａに臨む被収納物ＣのフランジＦに係合されるようになっている。
【００６５】
また、本実施形態に係るカートン１において、第１頂壁２には、持ち運び手段として第１指挿入孔４０が設けられている。本実施形態においては、指挿入孔として、一対の第１指挿入孔４０が、第１頂壁２における２つの被収納物Ｃの間隙に形成される空間に相当する位置に相互に対向して形成されている。両第１指挿入孔４０は、折曲線４０ａと該折曲線４０ａの両端部を連結する円弧状の切込線４０ｂとによって構成された折曲片４０ｃを、筒状体６の内部に押し込むように折曲することにより形成されるようになっており、両第１指挿入孔４０の折曲線４１が対向するようにして配置されている。また、第２頂壁８における第１頂壁２と重ねて配置された際に第１頂壁２の両第１指挿入孔４０に対向する位置には、それぞれ第２指挿入孔４１が形成されている。第２指挿入孔４１は、折曲線４１ａを該折曲線４１ａの両端部を連結する円弧状の切込線４１ｂとによって構成された折曲片４１ｃを、筒状体６の内部に押し込むように折曲することにより形成されている。なお、本発明に係るカートン１における持ち運び手段としての指挿入孔４０の形状や形成位置は、本実施形態のものに限定されるものではなく、例えば、筒状体６の内部に形成される空間に相当する位置に形成される開口によって構成してもよい。
【００６６】
次に、本実施形態の作用について説明する。
【００６７】
本実施形態係るカートン１によれば、持ち運び手段として第１頂壁２に形成された一対の第１指挿入孔４０と、第２頂壁８に形成された一対の第２指挿入孔４１とを有している。また、両タブ片２６の先端部分は、被収納物Ｃの頂面におけるフランジＦの内周面に当接してフランジＦに係合するようになっている。そして、本実施形態に係るカートン１は、指挿入孔４０に指を挿入してカートン１が持ち上げられることにより、第１頂壁２が凸状に変形するとともに両側壁３Ａ、３Ｂが相互に近接する方向に移動するので、両タブ片２６は、第１頂壁２とともに上方に引っ張られて相互に近接するようにほぼ水平方向に移動し、両タブ片２６の外端同士の距離が縮まることとなる。このように、両タブ片２６が相互に近接するようにほぼ水平方向に移動することにより、第１保持タブ２３は、第１頂壁２の変形に対応し、両タブ片２６の先端部分が上方に移動することなく元の高さ位置にとどまることができるので、被収納物ＣのフランジＦに係合し続けることができる。
【００６８】
したがって、カートン１は、持ち運び手段としての指挿入孔４０を簡易かつ余分なパネルを用いることなく形成することができるとともに、持ち運び手段としての指挿入孔４０に指を挿入することによりカートン１が持ち上げられても、保持タブ２３の被収納物ＣのフランジＦに対する係合が解除されることなく、被収納物Ｃがカートン１の開口６Ａから抜け落ちてしまうことを確実に防止することができる。
【００６９】
また、本実施形態に係るカートン１において、指挿入孔４０を介して筒状体６が上方に持ち上げられることにより第１頂壁２が凸状に変形し、両側壁３Ａ、３Ｂが相互に近接する方向に引っ張られると、両タブ片２６が、各タブ片２６の一部が相互に重なるように移動することとなる。これにより、本実施形態に係るカートン１によれば、第１保持タブ２３は、両タブ片２６の外端同士の距離が縮まり、両タブ片２６の一部が相互に重なるように移動することによって、被収納物Ｃの頂面におけるフランジＦに係合し続けることができるので、被収納物Ｃがカートン１の開口６Ａから抜け落ちてしまうことを、より確実に防止することができる。さらに、本実施形態によれば、第１頂壁２が上方に引っ張られるほど、両タブ片２６が、相互に重なり合う面積が増える方向に移動して、第１保持タブ２３の先端縁が、被収納物ＣのフランジＦとの係合位置にとどまることとなり、被収納物Ｃがカートン１の開口６Ａから抜け落ちてしまうことを確実に防止することができる。
【００７０】
さらに、第１の実施形態と同様に、保持タブ２３をタブ折曲線２５の中央部を基端として２分割することにより、２つのタブ片２６から構成される保持タブ２３の強度を維持しながら、カートン１が持ち上げられた際に両タブ片２６の先端部分が相互に重なるように円滑にほぼ水平方向に移動される。これにより、両タブ片２６の先端部分が被収納物ＣのフランジＦとの係合を維持するので、カートン１は、被収納物Ｃがカートン１の開口６Ａから抜け落ちてしまうことを確実に防止することができる。
【００７１】
さらにまた、第１の実施形態と同様に、保持タブ２３を、第１頂壁２の一端縁から突出するようにタブ折曲線２５を介して第１頂壁２に連結し、両タブ片２６を、第１頂壁２の一端縁に沿って並列して配置することにより、カートン１が持ち上げられた際に、両タブ片２６の先端部分が相互に重なるように円滑にほぼ水平方向に移動される。これにより、カートン１は、保持タブ２３の被収納物ＣのフランジＦに対する係合が解除されることを確実に防止して、被収納物Ｃがカートン１の開口６Ａから抜け落ちてしまうことを確実に防止することができる。
【００７２】
また、第１の実施形態と同様に、保持タブ２３を、第１頂壁２の一端縁から突出するようにタブ折曲線２５を介して第１頂壁２に連結し、両タブ片２６を、第１頂壁２の一端縁に沿って並列して配置することにより、カートン１が持ち上げられた際に、両タブ片２６の先端部分が相互に重なるように円滑にほぼ水平方向に移動される。これにより、カートン１は、保持タブ２３の被収納物ＣのフランジＦに対する係合が解除されることを確実に防止して、被収納物Ｃがカートン１の開口６Ａから抜け落ちてしまうことを確実に防止することができる。
【００７３】
さらに、第１の実施形態と同様に、本実施形態に係るカートン１は、第１頂壁２に重なるように配置される第２頂壁８を有し、第２頂壁８には、第１保持タブ２３と重なるように配置され、第１保持タブ２３と同一方向に筒状体６の内部に折曲されることにより開口６Ａに臨む被収納物ＣのフランジＦに係合する第２保持タブ２７が連結されている。本実施形態に係るカートン１によれば、第１頂壁２および第２頂壁８によって頂壁部分に２重のパネルが配置されるので、カートン１における頂壁部分の強度を向上させることができるとともに、第１保持タブ２３と第２保持タブ２７が被収納物ＣのフランジＦに２重に係合することとなるので、第１保持タブ２３および第２保持タブ２７とフランジＦとの係合の強度を向上させることができ、これにより、被収納物Ｃがカートン１の開口６Ａから抜け落ちてしまうことをより確実に防止することができる。
【００７４】
さらに、本実施形態において、両タブ片２６を、カートン１が組み立てられた状態で、その一部があらかじめ相互に重なるように配置することにより、筒状体６が指挿入孔４０によって上方に持ち上げられた際に、第１頂壁２が凸状に変形し、両側壁３Ａ、３Ｂが相互に近接する方向に引っ張られるのに追従して、両タブ片２６を、より円滑に両タブ片２６の一部が相互に重なる部位が増すようにほぼ水平方向に移動させることができる。これにより、カートン１は、開口６Ａに臨む被収納物ＣのフランジＦに対する両タブ片２６の係合をより確実にすることができる。
【００７５】
なお、本発明は前記実施形態に限定されるものではなく、必要に応じて種々変更することが可能である。
【００７６】
例えば、各本実施形態におけるカートン１の大きさは、２本の缶を収納することが可能な大きさであるが、本発明に係るカートン１の大きさは、各実施形態のカートン１の大きさに限定されるものではなく、２本以上の複数の缶を収納可能なカートン１にも適用することができる。このとき、カートン１の開口６Ａに臨む被収納物Ｃが複数である場合には、頂壁２や底壁５に配設される各保持タブ２３も、開口６Ａに臨む被収納物Ｃに対応して配設される。また、本発明に係るカートン１に収納される被収納物Ｃは、本実施形態に用いられる缶に限定されず、頂面に突設されるフランジＦが形成されているものであればよい。
【００７７】
さらに、各実施形態におけるカートン１の保持タブ（第１保持タブ）２３は、タブ折曲線２３の中央部を基端部として２分割されているが、本発明に係るカートン１の保持タブ２３は、本実施形態に限定されず、持ち運び手段を介して頂壁（第１頂壁）２が持ち上げられたときに、各タブ片２６が相互に近接するようにほぼ水平方向に移動しながら、被収納物ＣのフランジＦに係合し続ける形状であれば、分割の基端部はタブ折曲線２３の中央部でなくてもよく、また３分割以上であってもよい。また、各実施形態においては、一対のタブ片２６が一つの同じ被収納物ＣのフランジＦに係合するようになっているが、保持タブ２３が前述のように３つ以上に分割されている場合であっても、各タブ片２６が一つの同じ被収納物ＣのフランジＦに係合するようになっているとよい。ただし、保持タブ（第１保持タブ）２３の強度等の観点からは２分割であることが好ましい。
【００７８】
また、各実施形態において、頂壁２に連設され被収納物Ｃが開口６Ａから抜け落ちることを防止する保持タブ２３は、頂壁２の端縁から突出するように配置されているが、本発明はこれに限定されず、頂壁２に形成された折曲線と該折曲線に連結された切込線によって構成してもよい。
【００７９】
また、各実施形態において、両タブ片２６は、カートン１が組み立てられた状態において、その一部が相互に重なって配置されているが、本発明はこれに限定されるものではなく、カートン１が組み立てられた状態において必ずしも相互に重なって配置されていなくてもよい。
【符号の説明】
【００８０】
１  カートン
２  頂壁（第１頂壁）
２ａ、２ｂ  頂板
３Ａ、３Ｂ  側壁
５  底壁
６  筒状体
６Ａ  開口
７  取っ手部
８  第２頂壁
９  取っ手パネル
２３  保持タブ（第１保持タブ）
２５  タブ折曲線
２６  タブ片
２７  第２保持タブ
２８  折曲線
Ｃ  被収納物
Ｆ  フランジ
【図１】
0005832734.tif 000002
【図２】
0005832734.tif 000003
【図３】
0005832734.tif 000004
【図４】
0005832734.tif 000005
【図５】
0005832734.tif 000006
【図６】
0005832734.tif 000007
【図７】
0005832734.tif 000008
【図８】
0005832734.tif 000009